(57)【要約】【課題】衛生洗浄装置の上方に配置した制御基板を外郭部材に取付固定するために、制御基板を収納する制御ケースに長い脚が必要であった。従って制御ケースは大型化し、制御部の製造時の取り扱いを困難にし、搬送しづらいものにしていた。【解決手段】制御基板と、前記制御基板を収納する制御ケースと、洗浄ノズル等の機能部品を固定収納する外郭部材とを備え、前記制御ケースは少なくとも１箇所が取付用部材を介して前記外郭部材に固定されたことを特徴とし、衛生洗浄装置の収納配置能力を高めて小型で高機能な衛生洗浄装置を提供する【選択図】    図２
2004285570.tif 000002
【特許請求の範囲】
【請求項１】
制御基板と、前記制御基板を収納する制御ケースと、洗浄ノズル等の機能部品を固定収納する外郭部材とを備え、前記制御ケースは少なくとも１箇所が取付用部材を介して前記外郭部材に固定されたことを特徴とする衛生洗浄装置。
【請求項２】
制御基板と、前記制御基板を収納する制御ケースと、洗浄ノズル等の機能部品を固定収納する外郭部材とを備え、前記制御ケースは少なくとも１箇所が取付用部材を介して前記外郭部材に配置された機能部品に固定されたことを特徴とする衛生洗浄装置。
【請求項３】
前記取付用部材には電線及び／又は通水管の固定構造を備えたことを特徴とする請求項１乃至請求項２記載の衛生洗浄装置。
【請求項４】
前記取付用部材には衛生洗浄装置を駆動させるためのセンサーを固定する構造を備えたことを特徴とする請求項１乃至請求項２記載の記載の衛生洗浄装置。
【請求項５】
前記取付用部材には衛生洗浄装置を操作させるための操作基板を固定する構造を備えたことを特徴とする請求項１乃至請求項２記載の衛生洗浄装置
【発明の詳細な説明】
【０００１】
【発明の属する技術分野】
本発明は、トイレで使用される衛生洗浄装置に用いられる制御基板の固定方法に関するものである。
【０００２】
【従来の技術】
近年、衛生洗浄装置の機能多様化、小型化が図られてきている。このため、さまざまな機能部品を多層に収納することで衛生洗浄装置の小型化が図られている。従来の衛生洗浄装置の収納例を図３に示す。衛生洗浄装置の制御基板は水分や雰囲気を逃れるために、図３のように衛生洗浄装置の上方に収納配置されている。
【０００３】
しかしながら、この従来の方法では衛生洗浄装置の上方に配置した制御基板を外郭部材に取付固定するために、制御基板を収納する制御ケースに長い脚（図４の３１ａ）が必要であった。従って制御ケースは大型化し、制御部の製造時の取り扱いを困難にし、搬送しづらいものにしていた。また、制御ケースと一体にするために、制御ケースの脚は単純な形状にせざるを得ず、このため脚自体が製品下部に配置される機能部品の制約となってしまっていた。
【０００４】
また、制御基板の他にも電線や配水チューブ、センサーや操作スイッチ基板などが正確な位置に収納配置される必要が有るが、少ないスペースでこれらを固定するための構造を十分に採ることができなかった。（例えば、特許文献１参照）
【０００５】
【特許文献１】
特開２００１−１３２０４７  図２３、図２４
【０００６】
【発明が解決しようとする課題】
本発明は以上の問題点を踏まえ、制御基板を収納する制御ケースを制御ケースと別部材にて外郭部材や機能部品に固定することで、衛生洗浄装置の収納配置能力を高めて小型で高機能な衛生洗浄装置を提供することを目的とする。
【０００７】
【課題を解決するための手段】
請求項１記載の発明における衛生洗浄装置は、制御基板と、制御基板を収納する制御ケースと、洗浄ノズル等の機能部品を固定収納する外郭部材とを備え、制御ケースは少なくとも１箇所が取付用部材を介して外郭部材に固定されている。従って、制御ケースは固定のための不要な固定部分を一体に設ける必要がないため、大型化する必要がなく、制御基板の製造、搬送に有効である。また、固定部分は制御ケースと別体であることから自由な形状にすることが出来、衛生洗浄装置の収納性を飛躍的に向上させることができる。
【０００８】
請求項２記載の発明における衛生洗浄装置は、制御基板と、制御基板を収納する制御ケースと、洗浄ノズル等の機能部品を固定収納する外郭部材とを備え、制御ケースは少なくとも１箇所が取付用部材を介して外郭部材に配置された機能部品に配置固定されている。従って、制御ケースは固定のための不要な固定部分を一体に設ける必要がないため、大型化する必要がなく、制御基板の製造、搬送に有効である。また、固定部分は制御ケースと別体であることから自由な形状にすることが出来、衛生洗浄装置の収納性を飛躍的に向上させることができる。
【０００９】
請求項３記載の発明における衛生洗浄装置は、取付用別部材に電線及び／又は通水管の固定構造を備えている。従って、取付用別部材によって制御ケースが固定収納されるのみならず、高密度に収納された衛生洗浄装置の中で電線や通水管を整然と配置させることができるために電線や通水管の噛み込みを防止することができ、安全な製品を提供することが可能となる。
【００１０】
請求項４記載の発明における衛生洗浄装置は、取付用部材に衛生洗浄装置を駆動させるためのセンサーを固定する構造を備えている。取付用部材は制御ケースとは別部品で構成され形状が自由に形成できる。従って、人体の有無やその位置、便座・便ふたの回動状態などを検出する衛生洗浄装置の各種センサーは、その特性上から求められる位置に正確に配置させることが可能になる。
【００１１】
請求項５記載の発明における衛生洗浄装置は、取付用部材に衛生洗浄装置を操作させるための操作基板を固定する構造を備えている。取付用部材は制御ケースとは別部品で構成され形状が自由に形成できるために、必要な操作基板位置に自由に制御基板を固定する構成をとることができる。そして操作するための基板を配置固定するための専用部材が不要となり、小型化に有効である。
【００１２】
【発明の実施の形態】
以下に本発明を具体化した実施の形態について説明し、本発明の理解に供する。
本発明の一実施例を示す衛生洗浄装置の内観図を図１に示す。衛生洗浄装置には人体局部を洗浄する洗浄水の通水路を開閉するバルブユニット１７、洗浄水を人体適温に加熱する熱交換器ユニット（図示なし）、洗浄水を人体局部に向けて噴出する洗浄ノズルユニット（図示なし）、人体局部に温風を吹きあてる温風ユニット１６、臭気を除去する脱臭ユニット（図示なし）などの機能部品が、外郭部材であるケースプレート１１に配置収納され、ケースカバー１２で覆われている。
【００１３】
各機能部品を制御する為の制御基板を収納する制御ケース１３は、洗浄ノズルの伸出口や温風ユニットの吹き出し口などの製品開口部から侵入する水蒸気や尿雰囲気や洗剤雰囲気、あるいは製品内部に発生する結露水などの影響を受けづらくするために、製品の上方に配置されている。
【００１４】
さらに制御ケース１３は制御ケースとは別部品である取付台１４を介してケースプレート１１に収納固定されている。取付台１４は制御ケース下部に配置された衛生洗浄装置の他ユニット（バルブユニット・温風ユニット）を避けるようにして形状が作られており、同じく他のユニットの配置を避けてネジ止めの容易な位置でネジ止めされている。
【００１５】
取付台１４を図２に示す。制御ケース１３と取付台１４は１４ａ部にてネジ１４ｂを使って接続され、また、取付台１４は下方の１４ｃ部にてケースプレート１１に固定され、制御ケース１３は取付台１４を介してケースプレート１１に固定されることになる。
【００１６】
図４に示された従来の制御ケース３１はケースプレートに固定するための長い脚（３１ａ）が必要となっていた。このため、制御基板３２を制御ケース３１に収納固定した状態で制御基板が大型化するため、製造時の破損が生じやすく、また運搬上も便利が悪いものとなっていた。また、制御ケース３１と一体形成する脚部分（３１ａ）は複雑な構成にすることが出来なかった。また脚形成のために制御基板３２の一部分を３１ｂのように切り欠く必要があるなどの問題もあった。
【００１７】
図１に示す本発明の実施例によれば、制御ケース１３は取付台１４を介してケースプレート１１に固定される為、制御ケースは固定用の脚が不要となるため小型化が図れ、制御基板の製造コストや運搬コストの削減が可能となる。また、制御ケースを単純形状にすることによって、製造時の破損による損失も低減できる。そして、脚形成のために制御基板の一部を切り欠く必要などもない。
【００１８】
また図２の１４ｄ部にはファンモータや電磁弁、センサー等と制御基板とを結びつける電線が構成されているため、専用の整線部品を用いることなく製品組立時の整線を容易に行え、ケースカバーを組み付けるときに誤って電線を噛み込んでしまうようなことがない。また１４ｅ部にはバルブユニットから給水される洗浄水を通水させるチューブ２２が固定されており、チューブが折れ曲がったり挟み込みが発生しないようになっている。このように、製品組立時やメンテナンス時に位置決めされづらい電線や通水路を固定することができるので、製品の安全性が向上する。
【００１９】
さらに図２の１４ｆ部には便ふたに組み込まれた磁石（図示なし）を検出し、便ふたの開閉状態を検出するためのホールＩＣを備えた便ふた位置検出センサー１６が取り付けられるようになっている。取付台１４が制御ケース１３と別部材になり形状自由に構成できることから、位置検出センサー１６に特別な形状を作成することなく安易にしかも正確にセンサーを固定することができる。本実施例では便ふた位置検出センサーとしてあるが、取り付けられるセンサーは便座の位置検出センサー、人体検出センサー等であってもよい。いづれにしてもセンサーはその特性上から正確な位置に配置される必要があるため好ましい。
【００２０】
また、図２の１４ｇ部には本体を操作するための操作基板１５が設置されている。取付台１４は制御ケースと別体にして構成される為、形状自由度が高まり、基板設置構造が可能となる。特に衛生洗浄装置の操作がリモコンで行われる場合、補助的な操作部を衛生洗浄装置の本体側面に持つことが多く、本発明の構成が有効である。
【発明の効果】
【００２１】
このように、本発明における衛生洗浄装置は、制御基板と、制御基板を収納する制御ケースと、洗浄ノズル等の機能部品を固定収納する外郭部材とを備え、制御ケースは少なくとも１箇所が取付用部材を介して外郭部材または外郭部材に配置された機能部品に固定されている。従って、制御ケースは固定のための不要な固定部分を一体に設ける必要がないため、大型化する必要がなく、制御基板の製造、搬送に有効である。また、固定部分は制御ケースと別体であることから自由な形状にすることが出来、他ユニットの収納設計に配慮しやすいのみならず、電線やチューブ、センサーなどの収納性を飛躍的に向上させることができる。
【００２２】
以上本発明により、衛生洗浄装置は小型化が可能となり、一般に狭いトイレ室内においてトイレ室内の清掃性を格段に向上させるのみならず、見た目にもすっきりとしたものにすることが可能となる。
【図面の簡単な説明】
【図１】本発明の実施例を示す衛生洗浄装置の内機斜視図である。
【図２】本発明の実施例を示す衛生洗浄装置の取付台の斜視図である。
【図３】従来の衛生洗浄装置の内機斜視図である。
【図４】従来の衛生洗浄装置の制御基板・制御ケースを示す斜視図である。
【符号の説明】
１１    ：ケースプレート
１２    ：ケースカバー
１３    ：制御ケース
１４    ：取付台
１５    ：操作基板
１６    ：便ふた位置検出センサー
１７    ：バルブユニット
１８    ：給水チューブ
【図１】
2004285570.tif 000003
【図２】
2004285570.tif 000004
【図３】
2004285570.tif 000005
【図４】
2004285570.tif 000006